(57)【要約】【課題】よりユーザビリティの高い熱線センサ付自動スイッチを提供する。【解決手段】熱線センサ付自動スイッチ１０は、熱線センサ部１と、制御部と、照明負荷への給電をオン／オフ制御する第１開閉器と、換気扇への給電をオン／オフ制御する第２開閉器と、動作表示部８を備え、制御部は、第１開閉器のオン制御、且つ第２開閉器のオン制御を行う第１制御と、第１開閉器をオン制御し第１開閉器のオフ制御の後に第２開閉器のオン制御を行う第２制御とを選択可能であり、第２開閉器のオン制御中において、動作表示部８を発光させる。【選択図】図１
2015173077.tif 000002
【特許請求の範囲】
【請求項１】
人体から発せられる熱線を検出する熱線センサ部と、該熱線センサ部からのセンサ信号に基づいて照明負荷の点灯／消灯と換気扇の駆動／停止とを制御する制御信号を出力する制御部と、前記制御信号に基づいて前記照明負荷への給電をオン／オフ制御する第１開閉器と、前記制御信号に基づいて前記換気扇への給電をオン／オフ制御する第２開閉器とを備えた熱線センサ付自動スイッチであって、
前記第２開閉器のオン／オフ制御を発光の有無で表示する動作表示部を備えており、
前記制御部は、前記第１開閉器のオン制御、且つ前記第２開閉器のオン制御を行う第１制御と、
前記第１開閉器をオン制御し前記第１開閉器のオフ制御の後に前記第２開閉器のオン制御を行う第２制御とを選択可能であり、
さらに、前記制御部は、前記第２開閉器のオン制御中において、前記動作表示部を発光させることを特徴とする熱線センサ付自動スイッチ。
【発明の詳細な説明】
【技術分野】
【０００１】
本発明は、熱線を検知して、照明負荷および換気扇を制御する熱線センサ付自動スイッチに関する。
【背景技術】
【０００２】
従来、人の入退室に応じて照明負荷を点灯させるとともに換気扇を駆動させるために、熱線センサ付自動スイッチが使用されている。この種の熱線センサ付自動スイッチでは、熱線センサの出力に基づいて照明負荷と換気扇とを連動動作させる（たとえば、特許文献１を参照）。
【０００３】
特許文献１の熱線センサ付自動スイッチは、換気扇連動切替スイッチによって、照明負荷と換気扇とを同時に連動して動作させるか、照明負荷に比べて換気扇の動作開始時刻を遅延させて動作させるかを切り替えることができる、としている。
【先行技術文献】
【特許文献】
【０００４】
【特許文献１】特開２００５−１８３３１９号公報
【発明の概要】
【発明が解決しようとする課題】
【０００５】
ところで、熱線センサ付自動スイッチは、よりユーザビリティの高い熱線センサ付自動スイッチが求められており、上記特許文献１の構成だけでは十分でなく、更なる改良が求められている。
【０００６】
本発明は上記事由に鑑みて為されており、その目的は、よりユーザビリティの高い熱線センサ付自動スイッチを提供することにある。
【課題を解決するための手段】
【０００７】
本発明の熱線センサ付自動スイッチは、熱線センサ部と、制御部と、第１開閉器と、第２開閉器と、動作表示部とを備えている。上記熱線センサ部は、人体から発せられる熱線を検出してセンサ信号を出力する。上記制御部は、上記熱線センサ部からのセンサ信号に基づいて照明負荷の点灯／消灯と換気扇の駆動／停止とを制御する制御信号を出力する。上記第１開閉器は、上記制御信号に基づいて上記照明負荷への給電をオン／オフ制御する。上記第２開閉器は、上記制御信号に基づいて上記換気扇への給電をオン／オフ制御する。上記動作表示部は、上記第２開閉器のオン／オフ制御を発光の有無で表示する。上記制御部は、第１制御と、第２制御とを選択可能に構成している。上記制御部は、上記第１制御において、上記第１開閉器のオン制御、且つ上記第２開閉器のオン制御を行う。上記制御部は、上記第２制御において、上記第１開閉器をオン制御し上記第１開閉器のオフ制御の後に上記第２開閉器のオン制御を行う。さらに、上記制御部は、上記第２開閉器のオン制御中において、上記動作表示部を発光させる。
【発明の効果】
【０００８】
本発明の熱線センサ付自動スイッチは、換気扇への給電をオン／オフ制御する第２開閉器のオン制御中に動作表示部を発光させることで、よりユーザビリティを高くできるという効果がある。
【図面の簡単な説明】
【０００９】
【図１】図１は、実施形態の熱線センサ付自動スイッチを示す正面説明図である。
【図２】図２は、実施形態の熱線センサ付自動スイッチのブロック図である。
【図３】図３は、実施形態の熱線センサ付自動スイッチを示す斜視説明図である。
【図４】図４は、実施形態の熱線センサ付自動スイッチを説明する分解斜視図である。
【図５】図５は、実施形態の熱線センサ付自動スイッチの要部を示す正面説明図である。
【図６】図６は、実施形態の熱線センサ付自動スイッチの別の要部を示す正面説明図である。
【図７】図７は、実施形態の熱線センサ付自動スイッチの別の要部を示す側面説明図である。
【図８】図８は、図１の熱線センサ付自動スイッチにおけるＡＡ断面図である。
【図９】図９は、図１の熱線センサ付自動スイッチにおけるＢＢ断面図である。
【図１０】図１０は、図９の熱線センサ付自動スイッチの点線で囲んだ部分の拡大図である。
【図１１】図１１は、図１の熱線センサ付自動スイッチにおけるＣＣ断面図である。
【図１２】図１２は、図１１の熱線センサ付自動スイッチの点線で囲んだ部分の拡大図である。
【図１３】図１３は、本実施形態における熱線センサ付自動スイッチの要部を示す背面図である。
【図１４】図１４は、実施形態の熱線センサ付自動スイッチの動作を説明する動作説明図である。
【図１５】図１５は、実施形態の熱線センサ付自動スイッチの別の動作を説明する動作説明図である。
【発明を実施するための形態】
【００１０】
本実施形態の熱線センサ付自動スイッチ１０について、図１ないし図１５に基づいて説明する。なお、図中において、同じ部材に対しては、同じ番号を付して重複する説明を省略する。以下において、本実施形態の熱線センサ付自動スイッチ１０は、自動スイッチ１０とも称する。
【００１１】
自動スイッチ１０は、図１および図２に示すように、熱線センサ部１と、制御部４と、第１開閉器５ａと、第２開閉器５ｂと、動作表示部８とを備えている。熱線センサ部１は、人体から発せられる熱線を検出してセンサ信号を出力する。制御部４は、熱線センサ部１からのセンサ信号に基づいて照明負荷５２の点灯／消灯と換気扇５３の駆動／停止とを制御する制御信号を出力する。第１開閉器５ａは、制御信号に基づいて照明負荷５２への給電をオン／オフ制御する。第２開閉器５ｂは、制御信号に基づいて換気扇５３への給電をオン／オフ制御する。動作表示部８は、第２開閉器５ｂのオン／オフ制御を発光の有無で表示する。制御部４は、第１制御と、第２制御とを選択可能に構成している。制御部４は、第１制御において、第１開閉器５ａのオン制御、且つ第２開閉器５ｂのオン制御を行う。制御部４は、第２制御において、第１開閉器５ａをオン制御し第１開閉器５ａのオフ制御の後に第２開閉器５ｂのオン制御を行う。さらに、制御部４は、第２開閉器５ｂのオン制御中において、動作表示部８を発光させる。
【００１２】
これにより、自動スイッチ１０は、よりユーザビリティを高くすることが可能になる。
【００１３】
以下に、自動スイッチ１０の回路構成について簡単に説明する。
【００１４】
自動スイッチ１０は、図２に示すように、手動にて操作された操作スイッチ２ａのオン／オフ操作を判別する入力判別部２を備えている。自動スイッチ１０は、周囲の明るさを検知する明るさセンサ１ｓを備えている。制御部４は、熱線センサ部１からのセンサ信号に加え、入力判別部２からの判別信号と明るさセンサ１ｓからの照度信号に基づいて照明負荷５２の点灯／消灯や換気扇５３の駆動／停止を制御する。自動スイッチ１０は、第１電源端子１１ｃ１および第２電源端子１１ｃ２を介して、自動スイッチ１０を稼働するための直流安定化電源４ｃと商用電源５１とを電気的に接続可能に構成している。自動スイッチ１０は、第１負荷端子１１ｃ３および第２負荷端子１１ｃ４を介して、照明負荷５２と電気的に接続する。自動スイッチ１０は、第３負荷端子１１ｃ５および第４負荷端子１１ｃ６を介して、換気扇５３と電気的に接続する。自動スイッチ１０は、第１開閉器５ａを介して、商用電源５１と照明負荷５２との直列回路を電気的に接続可能に構成している。第１開閉器５ａは、給電路を開閉する第１開閉素子５ａ１と、第１開閉素子５ａ１を制御する第１開閉制御部５ａ２とを備えている。第１開閉素子５ａ１は、商用電源５１を接続する第１電源端子１１ｃ１と、照明負荷５２を接続する第２負荷端子１１ｃ４との間に電気的に接続している。
【００１５】
自動スイッチ１０は、第２開閉器５ｂを介して、商用電源５１と換気扇５３との直列回路を電気的に接続可能に構成している。第２開閉器５ｂは、給電路を開閉する第２開閉素子５ｂ１と、第２開閉素子５ｂ１を制御する第２開閉制御部５ｂ２とを備えている。第２開閉素子５ｂ１は、商用電源５１を接続する第１電源端子１１ｃ１と、換気扇５３を接続する第４負荷端子１１ｃ６との間に電気的に接続している。
【００１６】
制御部４は、センサ信号の有無にかかわらず、照明負荷５２を連続的に点灯させる連続点灯モードを有している。制御部４は、センサ信号に応じて、照明負荷５２を自動的に点灯状態にさせ、所定の点灯保持時間の経過後に照明負荷５２を消灯させる自動点灯消灯モードを有している。制御部４は、センサ信号の有無にかかわらず、照明負荷５２を強制的に消灯させる強制消灯モードを有している。制御部４は、操作スイッチ２ａのスイッチ操作ごとに、連続点灯モード、自動点灯消灯モード、強制消灯モードが切り替え、モード表示部６で切り替えたモードを表示する。
【００１７】
また、制御部４は、自動点灯消灯モードにおいて、センサ信号および照度信号に応じて第１開閉器５ａを制御し、照明負荷５２を自動的に点灯状態にさせ、所定の点灯保持時間の経過後に照明負荷５２を消灯させることができる。さらに、制御部４は、自動点灯消灯モードにおいて、照明負荷５２の自動点灯と同時または、点灯保持時間の経過後に換気扇５３を駆動させ、照明負荷５２の消灯から所定の遅延動作時間の経過後に換気扇５３を停止させることができる。
【００１８】
以下では、自動スイッチ１０の具体的な構成について説明する。
【００１９】
自動スイッチ１０は、たとえば、トイレ室の壁面に取り付けられ、トイレ室の照明負荷５２および換気扇５３を制御する。
【００２０】
自動スイッチ１０は、図１や図３に示すように、取付枠１７に取り付けられ、トイレ室の壁面などの施工面（図示していない）に設置される。自動スイッチ１０は、施工面を構成する造営材に埋込配設される器体１１を備えている。器体１１は、外形形状を直方体状としている。器体１１は、図４に示すように、有底角筒状のボディ体１１ａと、有底角筒状のカバー体１１ｂとで構成している。器体１１は、ボディ体１１ａとカバー体１１ｂとを嵌め合わせて内部が空洞な箱体としている。器体１１は、制御部４、第１開閉器５ａや第２開閉器５ｂを内部に収納可能に構成している。なお、自動スイッチ１０は、器体１１の寸法を埋込型配線器具の１個のモジュールの３個分に相当する１連モジュールの大きさとしている。器体１１は、正面視が長方形状の器体１１の短手方向の寸法を、埋込配線器具用の取付枠１７における第１窓孔１７ａａの短手方向の寸法より若干小さい大きさとしている。
【００２１】
ボディ体１１ａは、カバー体１１ｂと嵌め合わせるための係合突起部１１ａｃを備えている。係合突起部１１ａｃは、ボディ体１１ａの上下（図４の紙面の左右）それぞれの短手方向に沿って２個１組で設けている。ボディ体１１ａは、電気絶縁性の樹脂材料により形成している。ボディ体１１ａは、電気絶縁性の樹脂材料として、たとえば、ＡＢＳ(acrylonitrile butadiene styrene copolymer)樹脂やユリア樹脂などを用いることができる。ボディ体１１ａは、たとえば、加熱溶融させた電気絶縁性の樹脂材料を金型内に射出注入し、冷却固化させる射出成形により形成することができる。
【００２２】
自動スイッチ１０は、図示していない電線により、商用電源５１、照明負荷５２や換気扇５３と電気的に接続される。自動スイッチ１０は、図４に示すように、電線が接続される端子１１ｃを備えている。ボディ体１１ａは、端子１１ｃを収納する。端子１１ｃは、電線にばねの力を付与する錠ばね１１ｃａと、錠ばね１１ｃａを収容する端子板１１ｃｂとを備えている。端子１１ｃは、電線が挿入されると、電線と電気的に接続し端子板１１ｃｂと錠ばね１１ｃａとで電線を固定できるように構成している。錠ばね１１ｃａは、金属材料により構成された板材の折り曲げ加工により形成することができる。錠ばね１１ｃａの金属材料としては、たとえば、銅や銅合金などを用いることができる。同様に、端子板１１ｃｂは、金属材料により構成された板材の折り曲げ加工により形成することができる。端子板１１ｃｂの金属材料としては、たとえば、銅や銅合金などを用いることができる。端子１１ｃは、絶縁被覆が剥がされた電線における芯線が挿入されることで、電線との電気的接続および機械的接続が行われる速結端子を構成している。また、ボディ体１１ａは、電線を速結端子から解放する釦１１ｃｃを備えている。自動スイッチ１０は、図示していないが器体１１の背面から治具により釦１１ｃｃが押圧されることで、釦１１ｃｃが錠ばね１１ｃａを変形させる。自動スイッチ１０は、錠ばね１１ｃａの変形により、電線を器体１１から抜くことができるように端子１１ｃを構成している。なお、端子１１ｃは、第１電源端子１１ｃ１、第２電源端子１１ｃ２、第１負荷端子１１ｃ３、第２負荷端子１１ｃ４、第３負荷端子１１ｃ５や第４負荷端子１１ｃ６を構成している。
【００２３】
カバー体１１ｂは、カバー体１１ｂの上下（図４の紙面の左右）それぞれの短手方向に沿って、ボディ体１１ａ側に突出する一対の突出片１１ｂｃ，１１ｂｃを備えている。突出片１１ｂｃは、有底角筒状のカバー体１１ｂにおける筒状部位に対して弾性変形が可能な構成としている。カバー体１１ｂは、筒状部位と突出片１１ｂｃとを一体成形により形成することができる。突出片１１ｂｃは、外形がＣ字状とし、筒状部位から突出して外部に露出する部位に係合孔１１ｂｆを形成している。カバー体１１ｂは、突出片１１ｂｃの係合孔１１ｂｆと、ボディ体１１ａの係合突起部１１ａｃとを嵌め合わせ可能に構成している。
【００２４】
カバー体１１ｂは、短手方向における側壁１１ｂｂに、側壁１１ｂｂから突出する取付爪１１ｂｄを備えている。カバー体１１ｂは、取付枠１７の器具取付孔１７ａｂと、取付爪１１ｂｄとを嵌め合わせ可能としている。カバー体１１ｂは、側壁１１ｂｂにおいて、一対の取付爪１１ｂｄ，１１ｂｄが突設された部位の両側部に、切込溝１１ｂｇ，１１ｂｇを厚み方向に沿って設けている。カバー体１１ｂは、一対の取付爪１１ｂｄ，１１ｂｄの間の部位に、厚み方向に可撓性を有する撓み片１１ｂｅを設けている。カバー体１１ｂは、撓み片１１ｂｅを器体１１の内部に撓ませることが可能に構成している。カバー体１１ｂは、電気絶縁性の樹脂材料により形成している。カバー体１１ｂは、電気絶縁性の樹脂材料として、たとえば、ＡＢＳ樹脂やユリア樹脂などを用いて形成することができる。カバー体１１ｂは、たとえば、加熱溶融させた電気絶縁性の樹脂材料を金型内に射出注入し、冷却固化させる射出成形により形成することができる。
【００２５】
取付枠１７は、対向する一対の側片１７ａ，１７ａと、対向する一対の枠片１７ｂ，１７ｂとで枠状に形成している。取付枠１７は、施工面への取付が行いやすいように、枠片１７ｂに矢印の印を表記している。取付枠１７は、器体１１の取付が行いやすいように、側片１７ａに三角の印を表記している。側片１７ａは、器体１１を取り付け可能な複数の器具取付孔１７ａｂを備えている。取付枠１７は、カバー体１１ｂの取付爪１１ｂｄを器具取付孔１７ａｂに嵌め合わせることにより、器体１１を保持することができる。自動スイッチ１０は、器体１１を取付枠１７に取り付ける際、たとえば、カバー体１１ｂの一方の側壁１１ｂｂの取付爪１１ｂｄを、取付枠１７の一方の器具取付孔１７ａｂに挿入する。次に、自動スイッチ１０では、他方の側壁１１ｂｂの取付爪１１ｂｄを、器体１１の内部に撓むようにして、取付枠１７の第１窓孔１７ａａにカバー体１１ｂが挿入される。自動スイッチ１０は、器体１１を取付枠１７に埋め込まれるように挿入した後、カバー体１１ｂの他方の側壁１１ｂｂの取付爪１１ｂｄを、取付枠１７の他方の器具取付孔１７ａｂに挿入する。器体１１は、取付爪１１ｂｄが器具取付孔１７ａｂに挿入されることにより、取付枠１７に保持される。また、自動スイッチ１０においては、器体１１を取付枠１７から取り外す場合、撓み片１１ｂｅを器体１１の内部に押し込むようにする。自動スイッチ１０は、撓み片１１ｂｅの撓みにより、取付爪１１ｂｄが器具取付孔１７ａｂから抜けて取付枠１７から器体１１を取り外すことができる。
【００２６】
なお、取付枠１７は、図１や図３で示すように、長孔１７ａｃを枠片１７ｂに備えている。長孔１７ａｃには、図示していない固定螺子が挿通される。取付枠１７は、長孔１７ａｃに挿通された固定螺子が、たとえば、施工面に埋設された埋込ボックス（図示していない）のねじ部に螺合されることにより、施工面側に固定される。また、取付枠１７は、枠片１７ｂにプレート螺子用のねじ孔１７ａｄを備えている。取付枠１７は、図示していないが、取付枠１７の表面側で、矩形枠状のプレート枠（図示していない）と、プレート螺子（図示していない）を用いてねじ止めすることができる。取付枠１７は、器体１１を取り付けることができれば、種々の形状とすることができる。取付枠１７は、たとえば、樹脂体や金属体で構成することができる。
【００２７】
自動スイッチ１０は、照明負荷５２および換気扇５３を制御可能な回路部１６を器体１１の内部に収納している。回路部１６は、第１の回路基板１６ａと、第２の回路基板１６ｃとを備えている。第１の回路基板１６ａは、外形形状を矩形の平板状としている。第１の回路基板１６ａは、プリント配線板により形成することができる。回路部１６は、平板状の電気絶縁板１６ｂを介して、第１の回路基板１６ａと、第２の回路基板１６ｃとを対向して配置している。回路部１６は、第１の回路基板１６ａと第２の回路基板１６ｃとを図示していない導体などにより電気的に接続している。第２の回路基板１６ｃは、外形形状を矩形の平板状としている。第２の回路基板１６ｃは、プリント配線板などにより形成することができる。
【００２８】
回路部１６は、たとえば、熱線センサ部１、入力判別部２や制御部４を第１の回路基板１６ａに備えた構成とすることができる。第１の回路基板１６ａは、制御部４を構成する電子部品を実装している。第１の回路基板１６ａは、動作表示部８を構成する第１の発光ダイオード８ａを実装している。第１の回路基板１６ａは、モード表示部６を構成する複数個の第２の発光ダイオード６ａを実装している。ここでは、３個の第２の発光ダイオード６ａを用いている。第１の回路基板１６ａは、手動操作部２ａ１で押駆動される操作子２ａｃを有するスイッチ本体２ａａを実装している。第１の回路基板１６ａは、第２撓み部１１ｂｙで押駆動される第１スイッチ部２ｅ１を実装している。第１の回路基板１６ａは、第３撓み部１１ｂｚで押駆動される第２スイッチ部２ｅ２を実装している。第１の回路基板１６ａは、明るさセンサ１ｓを構成するフォトダイオードを実装している。さらに、第１の回路基板１６ａは、たとえば、異常発熱抑制のための温度ヒューズや漏電防止用のリレーなどの各種の電子部品を実装してもよい。第１の回路基板１６ａには、図示していない所定形状の配線を形成しており、各種の電子部品と電気的に接続できるように構成している。
【００２９】
また、回路部１６は、たとえば、直流安定化電源４ｃ、第１開閉器５ａや第２開閉器５ｂを第２の回路基板１６ｃに備えた構成とすることができる。第２の回路基板１６ｃは、直流安定化電源４ｃを構成する電子部品１６ａａを実装している。第２の回路基板１６ｃには、図示していない所定形状の配線を形成している。第２の回路基板１６ｃは、第１開閉器５ａとして、主スイッチ素子を構成する第１開閉素子５ａ１と、第１開閉素子５ａ１を制御する第１開閉制御部５ａ２とを実装している。第１開閉素子５ａ１は、たとえば、双方向３端子サイリスタを用いて構成することができる。第１開閉器５ａは、主スイッチ素子を、半導体スイッチ素子とする電子スイッチの他、可動接点および固定接点を備えた機械スイッチなどを用いて構成してもよい。第２の回路基板１６ｃは、第２開閉器５ｂとして、主スイッチ素子を構成する第２開閉素子５ｂ１と、第２開閉素子５ｂ１を制御する第２開閉制御部５ｂ２とを実装している。第２開閉素子５ｂ１は、有接点リレーを用いて構成することができる。有接点リレーは、たとえば、セットコイルとリセットコイルとを備えたラッチングリレーを用いることができる。第２開閉制御部５ｂ２は、制御信号により第２開閉素子５ｂ１のオンオフ制御が可能に構成している。第２開閉器５ｂは、主スイッチ素子を、可動接点および固定接点を備えた機械スイッチなどの他、半導体スイッチ素子とする電子スイッチを用いて構成してもよい。
【００３０】
熱線センサ部１は、赤外線センサ１ａを用いて構成することができる。赤外線センサ１ａは、第１の回路基板１６ａに実装している。赤外線センサ１ａは、たとえば、人体から発せられる赤外線を検出する。なお、熱線は、赤外領域の電磁波である赤外線である。赤外線センサ１ａは、焦電素子などを有する構成とすればよい。熱線センサ部１は、随時に赤外線を検出する構成でもよいし、予め設定した時間間隔ごとに赤外線を検出する構成としてもよい。言い換えれば、熱線センサ部１は、人体の存在の有無を検知可能な人感センサを構成している。熱線センサ部１は、たとえば、フォトダイオードなどの明るさセンサ１ｓと一体に構成し、明るさセンサ１ｓによって周囲の明るさを検知可能に構成してもよい。
【００３１】
熱線センサ部１は、所定の視野角を確保するために操作スイッチ２ａの正面よりも突出した突出部位１ｋを備えている。熱線センサ部１は、筒状の光学部材１ｒを備えている。光学部材１ｒは、図示していないが、赤外線センサ１ａの検知エリアを広げるためのミラーを有している。熱線センサ部１は、赤外線センサ１ａと光学部材１ｒとを、センサカバー１ｂで覆っている。センサカバー１ｂは、先端が半球形状としている。赤外線センサ１ａは、センサカバー１ｂを介して、人体から発せられる熱線を検出する。センサカバー１ｂは、赤外線を集光するフレネルレンズを有している。センサカバー１ｂは、たとえば、ポリエチレン樹脂を用いて形成することができる。自動スイッチ１０は、器体１１のカバー体１１ｂと第１の回路基板１６ａとの間で、センサカバー１ｂを挟持し器体１１の内部にセンサカバー１ｂを収納している。
【００３２】
操作スイッチ２ａは、手動操作部２ａ１が手動にて押され、スイッチ本体２ａａのスイッチ動作を行うことができるように構成している。すなわち、手動操作部２ａ１は、手動にて押される操作スイッチ２ａの一部を構成している。入力判別部２は、操作スイッチ２ａが操作されたか否かが判別できればよい。手動操作部２ａ１は、化粧蓋部２ｇ、ハンドル部２ｆ、カバー体１１ｂを用いて構成している。化粧蓋部２ｇは、押圧操作される一表面２ａｂ側に設けられた透光性部材２ｇ１と、カバー体１１ｂ側に設けられたベース板２ｇ２とを備えている。手動操作部２ａ１は、熱線センサ部１の突出部位１ｋと重なるように設けられた取手部２ａ２を備えている。取手部２ａ２は、指を引き掛けて化粧蓋部２ｇの取り外しを行い易いように引掛凹所２ａ３を設けている。ハンドル部２ｆは、化粧蓋部２ｇを取り外し可能に保持する。自動スイッチ１０は、化粧蓋部２ｇをハンドル部２ｆから取り外すことで、器体１１の第１表面１１ｂｐが外部に露出するように、ハンドル部２ｆに開口部２ｆ１を形成している。同様に、ハンドル部２ｆは、ハンドル部２ｆの厚み方向に貫通する第１貫通孔２ｆ３を有している。また、ハンドル部２ｆは、ハンドル部２ｆの厚み方向に貫通する複数個の第２貫通孔２ｆ４を有している。
【００３３】
透光性部材２ｇ１は、矩形板状の外形形状としている。透光性部材２ｇ１は、透光性の樹脂材料により形成することができる。透光性部材２ｇ１は、透光性の樹脂材料として、たとえば、ポリカーボネート樹脂を用いることができる。化粧蓋部２ｇは、図８ないし図１３に示すように、透光性部材２ｇ１のハンドル部２ｆ側に光拡散層２ｇ５を有している。光拡散層２ｇ５は、白色顔料を含有させた樹脂を透光性部材２ｇ１にスクリーン印刷することで形成されている。白色顔料としては、たとえば、二酸化ケイ素やチタン酸バリウムなどを用いることができる。光拡散層２ｇ５は、スクリーン印刷により透光性部材２ｇ１に塗布して形成することができる。化粧蓋部２ｇは、スクリーン印刷により光拡散層２ｇ５を形成するだけでなく、予め形成された光拡散層２ｇ５を構成するシートを透光性部材２ｇ１に貼り付けた構成としてもよい。化粧蓋部２ｇは、両面テープなどにより、透光性部材２ｇ１をベース板２ｇ２に貼り付けて保持させている。ベース板２ｇ２は、ハンドル部２ｆの第１貫通孔２ｆ３に対応して設けられた第１透孔２ｇｄを有している。同様に、ベース板２ｇ２は、ハンドル部２ｆの第２貫通孔２ｆ４に対応して設けられた第２透孔２ｇｃを有している。
【００３４】
手動操作部２ａ１は、図４、図１０および図１３に示すように、化粧蓋部２ｇの四隅に爪部位２ｇ３を備えている。手動操作部２ａ１は、ベース板２ｇ２の爪部位２ｇ３と対応するハンドル部２ｆの位置に係止孔２ｆ２を備えている。化粧蓋部２ｇは、ベース板２ｇ２の爪部位２ｇ３を、ハンドル部２ｆの係止孔２ｆ２に引っ掛けて止められるように、着脱自在に構成している。
【００３５】
カバー体１１ｂは、カバー体１１ｂの上側（図４の紙面の左側）において、第２窓孔１１ｂｘ、第３窓孔１１ｂｑ、第４窓孔１１ｂｈおよび第５窓孔１１ｂｉを備えている。第２窓孔１１ｂｘ、第３窓孔１１ｂｑ、第４窓孔１１ｂｈおよび第５窓孔１１ｂｉは、それぞれ平面視が円形状としている。カバー体１１ｂは、カバー体１１ｂの中央部の上方において、平面視が矩形状の第１の筒状突起１１ｂｕを１個備えている。自動スイッチ１０は、第１の筒状突起１１ｂｕの第６窓孔１１ｂｏから第１の発光ダイオード８ａの光を出射する。第１の筒状突起１１ｂｕから出射された第１の発光ダイオード８ａの光は、化粧蓋部２ｇを介して、自動スイッチ１０の外部に放射される。また、カバー体１１ｂは、カバー体１１ｂの中央部において、カバー体１１ｂの短手方向に沿って、平面視が矩形状の第４の筒状突起１１ｂｓを３個備えている。自動スイッチ１０は、第４の筒状突起１１ｂｓの第７窓孔１１ｂｊから第２の発光ダイオード６ａの光を出射する。第４の筒状突起１１ｂｓから出射された第２の発光ダイオード６ａの光は、化粧蓋部２ｇを介して、自動スイッチ１０の外部に放射される。カバー体１１ｂは、カバー体１１ｂの下側（図４の紙面の右側）において、カバー体１１ｂにおける第１表面１１ｂｐに開口１１ｂｍを備えている。
【００３６】
さらに、カバー体１１ｂは、手動操作部２ａ１のハンドル部２ｆを回転可能に取り付けるため、カバー体１１ｂにおける第１表面１１ｂｐの一方の側壁側（図４の紙面の下側）で突出した軸部１１ｂｎを備えている。軸部１１ｂｎは、カバー体１１ｂの長手方向に沿って円柱状に形成している。カバー体１１ｂは、図４、図１１および図１２に示すように、カバー体１１ｂの軸部１１ｂｎが金属製の板ばね２ｄにより手動操作部２ａ１のハンドル部２ｆ側に押圧される。言い換えれば、手動操作部２ａ１は、ハンドル部２ｆと板ばね２ｄとでカバー体１１ｂの軸部１１ｂｎを狭持して、器体１１に保持されている。また、カバー体１１ｂは、平面視において、カバー体１１ｂの第１表面１１ｂｐにおける中央部で端部が保持され、他端（図４の紙面の上）がＴ字状となるように周部が切り欠かれた第１撓み部１１ｂｒを備えている。第１撓み部１１ｂｒは、ハンドル部２ｆからの押圧により、器体１１の内部に撓むように構成している。
【００３７】
操作スイッチ２ａは、手動操作部２ａ１におけるハンドル部２ｆの一端部が器体１１に支持され他端部が回転自在に押操作可能なピアノハンドルとなっている。すなわち、操作スイッチ２ａは、ピアノハンドル式のスイッチを構成している。ピアノハンドル式のスイッチは、スイッチ本体２ａａの前面側に取り付けられたピアノハンドルを、ピアノハンドルの一方側を支点にして他方側が押圧して回転される構成としている。ピアノハンドルは、スイッチ本体２ａａの操作子２ａｃを押圧作動可能なスイッチの一部を構成している。ピアノハンドル式のスイッチは、ピアノハンドルへのピアノタッチでスイッチ操作を行うことができる。
【００３８】
手動操作部２ａ１は、図４、図１１に示すように、Ｔ字状の第１撓み部１１ｂｒと、操作子２ａｃとが当接可能に構成されている。手動操作部２ａ１は、器体１１に支持された状態で、手動操作部２ａ１の背面側がカバー体１１ｂの第１撓み部１１ｂｒと当接可能としている。自動スイッチ１０は、人が手動操作部２ａ１を押操作すると、手動操作部２ａ１がカバー体１１ｂ側に押される。自動スイッチ１０は、手動操作部２ａ１への押操作により、第１撓み部１１ｂｒを介して、手動操作部２ａ１が器体１１の内部の操作子２ａｃを押す。自動スイッチ１０は、操作子２ａｃが押されると操作スイッチ２ａがオンとなる。自動スイッチ１０は、押圧する力が手動操作部２ａ１からなくなると、手動操作部２ａ１が操作子２ａｃの反力などを受けて元の位置に復帰する構成とすることができる。自動スイッチ１０は、手動操作部２ａ１が元の位置に復帰すると、操作スイッチ２ａがオフとなる。操作スイッチ２ａは、たとえば、タクタイルスイッチを用いることができる。
【００３９】
自動スイッチ１０は、図１に示すように、化粧蓋部２ｇの表面に突条部２ｇ４を設けている。突条部２ｇ４は、人が手動操作部２ａ１を操作するときの目印とすることができる。
【００４０】
また、手動操作部２ａ１は、図４、図６および図８に示すように、ハンドル部２ｆの突出爪２ｆ５を器体１１の係止溝１１ｂｋ内に挿入し、引っ掛けて止められるように構成している。手動操作部２ａ１は、突出爪２ｆ５を係止溝１１ｂｋから抜き出すことで、ハンドル部２ｆの他端部を器体１１に保持させたまま、器体１１に対して開閉することができる。カバー体１１ｂは、平面視において、カバー体１１ｂの第１表面１１ｂｐに端部が保持され、他端が円形状となるように周部が切り欠かれた第２撓み部１１ｂｙを備えている。第２撓み部１１ｂｙは、第２撓み部１１ｂｙの押圧により、器体１１の内部に撓むように構成している。同様に、カバー体１１ｂは、平面視において、カバー体１１ｂの第１表面１１ｂｐに端部が保持され、他端が円形状となるように周部が切り欠かれた第３撓み部１１ｂｚを備えている。第３撓み部１１ｂｚは、第３撓み部１１ｂｚの押圧により、器体１１の内部に撓むように構成している。自動スイッチ１０は、手動操作部２ａ１を器体１１に対して開いた状態において、第２撓み部１１ｂｙや第３撓み部１１ｂｚを押圧操作できるように構成している。自動スイッチ１０は、人が第２撓み部１１ｂｙを押すと第１スイッチ部２ｅ１がオンとなり、人が第２撓み部１１ｂｙを離すと第１スイッチ部２ｅ１がオフとなる。同様に、自動スイッチ１０は、人が第３撓み部１１ｂｚを押すと第２スイッチ部２ｅ２がオンとなり、人が第３撓み部１１ｂｚを離すと第２スイッチ部２ｅ２がオフとなる。
【００４１】
自動スイッチ１０は、第１の筒状突起１１ｂｕの少なくとも一部がハンドル部２ｆの第１貫通孔２ｆ３に挿入されていることで、第１の発光ダイオード８ａからの光を外部に効率よく照射させることができる。また、自動スイッチ１０は、外部からの光が器体１１の内部に導入され吸収されることを抑制することができる。また、ハンドル部２ｆは、図８に示すように、器体１１側に突出し第１の筒状突起１１ｂｕを囲む第２の筒状突起２ｆｔを備えている。自動スイッチ１０は、手動操作部２ａ１の操作にかかわらず、第２の筒状突起２ｆｔにより第１の筒状突起１１ｂｕからの光が手動操作部２ａ１とカバー体１１ｂとの間に漏えいすることを抑制することが可能となる。さらに、器体１１は、第１の発光ダイオード８ａを囲むように器体１１の内部に突出する第３の筒状突起１１ｂｗを備えている。これにより、自動スイッチ１０は、器体１１の内部において、第１の発光ダイオード８ａからの光の拡散を抑制し、効率よく器体１１の外部に第１の発光ダイオード８ａの光を出射させることが可能となる。また、自動スイッチ１０は、図９および図１０に示すように、第１の発光ダイオード８ａと同様にして、第２の発光ダイオード６ａからの光を第４の筒状突起１１ｂｓから効率よく器体１１の外部に出射させることが可能となる。ハンドル部２ｆは、器体１１側に突出し第４の筒状突起１１ｂｓを囲む第５の筒状突起２ｆｓを備えている。さらに、器体１１は、第２の発光ダイオード６ａを囲むように器体１１の内部に突出する第６の筒状突起１１ｂｔを備えている。
【００４２】
制御部４は、照明負荷５２が点灯する点灯保持時間や換気扇５３の動作時間を計時するためのタイマ部（図示していない）を有している。制御部４は、点灯保持時間の計時中に熱線センサ部１からセンサ信号が再入力されると、センサ信号が再入力された時点から所定の点灯保持時間後に照明負荷５２を消灯状態にさせるように構成されている。したがって、タイマ部は、センサ信号が再入力された時点から所定の点灯保持時間を計時できるように、リトリガブル・タイマにより構成している。また、制御部４は、点灯保持時間の開始と同時、または点灯保持時間後の遅延動作時間経過後に換気扇５３を停止させるように構成している。
【００４３】
制御部４は、基本的な動作として、明るさセンサ１ｓの検出した明るさが予め設定された明るさの閾値よりも暗い状態で、熱線センサ部１に入射した熱線の変化に基づいて人体の検知を示すセンサ信号が入力されると、照明負荷５２を点灯させる。なお、明るさの閾値は、たとえば、制御部４のメモリ（図示していない）に記憶させておけばよい。制御部４は、タイマ部が計時する所定の点灯保持時間の間、照明負荷５２の点灯状態を維持するように第２開閉器５ｂを制御する。
【００４４】
制御部４は、熱線センサ部１の出力であるセンサ信号が入力される。制御部４は、熱線センサ部１からのセンサ信号に基づいて、第１開閉器５ａや第２開閉器５ｂを制御する制御信号を出力する。制御部４は、たとえば、ＣＰＵ（Central Processing Unit）を備えたマイクロコンピュータなどを用いて構成することができる。
【００４５】
また、制御部４は、手動操作部２ａ１への押操作により、連続点灯モード、自動点灯消灯モード、強制消灯モードの各モードを切り替えるように構成している。制御部４は、各第２の発光ダイオード６ａそれぞれと電気的に接続している。制御部４は、複数個の第２の発光ダイオード６ａの点灯を各モードそれぞれに対応して各別に制御する。第２の発光ダイオード６ａは、たとえば、発光色や点灯状態によって、自動スイッチ１０の各モードを表示可能なモード表示部６を構成している。制御部４は、切り替えられた各モードを手動操作部２ａ１に設けたモード表示部６に表示することができる。なお、図１に示す自動スイッチ１０では、連続点灯モードを「連続入」と表示している。また、図１に示す自動スイッチ１０では、自動点灯消灯モードを「自動」と表示している。さらに、図１に示す自動スイッチ１０では、強制消灯モードを「切」と表示している。
【００４６】
自動スイッチ１０は、操作スイッチ２ａが操作される度に、連続点灯モードと、自動点灯消灯モードと、強制消灯モードとを切り替えることができる。モード表示部６は、連続点灯モードで「連続入」を表示する。モード表示部６は、自動点灯消灯モードで「自動」を表示する。モード表示部６は、強制消灯モードで「切」を表示する。自動スイッチ１０は、操作スイッチ２ａの操作に応じて、「切」、「自動」、「連続入」の順で各モードを遷移させることを繰り返す。
【００４７】
自動スイッチ１０は、強制消灯モードの場合、たとえば、３つの第２の発光ダイオード６ａのうち、短手方向の一方側（図１の紙面の左側）に設けた第２の発光ダイオード６ａが点灯する。自動スイッチ１０は、たとえば、３つの第２の発光ダイオード６ａのうち、短手方向の一方側に設けた第２の発光ダイオード６ａを赤色に点灯させればよい。自動スイッチ１０は、自動点灯消灯モードの場合、たとえば、短手方向の中央部に設けた第２の発光ダイオード６ａが点灯する。自動スイッチ１０は、たとえば、３つの第２の発光ダイオード６ａのうち、短手方向の中央部に設けた第２の発光ダイオード６ａを緑色に点灯させればよい。自動スイッチ１０は、所定の点灯保持時間の間、中央部に設けた第２の発光ダイオード６ａを緑色に点滅させてもよい。自動スイッチ１０は、所定の点灯保持時間の残存時間が少なくなるにつれ、中央部に設けた第２の発光ダイオード６ａの点滅間隔を短くさせてもよい。自動スイッチ１０は、連続点灯モードの場合、たとえば、３つの第２の発光ダイオード６ａのうち、短手方向の他方側（図１の紙面の右側）に設けた第２の発光ダイオード６ａが点灯する。自動スイッチ１０は、たとえば、３つの第２の発光ダイオード６ａのうち、短手方向の他方側の第２の発光ダイオード６ａを青色に点灯させればよい。すなわち、第２の発光ダイオード６ａは、たとえば、第２の発光ダイオード６ａの点灯、消灯、点滅や発光色の区別により、連続点灯モード、自動点灯消灯モード、強制消灯モードをモード表示部６で表示することができる。
【００４８】
また、制御部４は、第１動作モードと、第２動作モードとを有している。第１動作モードは、自動点灯消灯モードにおいて、照明負荷５２の点灯と同時に換気扇５３を駆動させ、遅延動作時間の経過後に換気扇５３を停止させる。第２動作モードは、自動点灯消灯モードにおいて、照明負荷５２を点灯保持時間経過後に消灯させると同時に換気扇５３を駆動させ、遅延動作時間の経過後に換気扇５３を停止させる。制御部４は、第１制御によって第１動作モードを行わせ、第２制御によって第２動作モードを行わせる。
【００４９】
制御部４は、操作スイッチ２ａの操作時間の長さに対応して、第１動作モードと第２動作モードとを切り替えられるように構成している。自動スイッチ１０は、操作時間として、たとえば、操作スイッチ２ａを１秒以上連続して長押し操作した場合と、操作スイッチ２ａを１秒未満で押し操作した場合とを制御部４が判別して、動作状態を切り替えることができるように構成している。自動スイッチ１０は、切り替える動作状態として、連続点灯モード、自動点灯消灯モードや強制消灯モードと、第１動作モードや第２動作モードとを行う。制御部４は、操作スイッチ２ａの操作時間が予め設定した設定時間よりも長い長押し操作の場合、第１動作モードと、第２動作モードとを選択可能に切り替える。したがって、制御部４は、操作スイッチ２ａの操作時間が１秒未満の場合、操作スイッチ２ａが操作される度に、連続点灯モードと、自動点灯消灯モードと、強制消灯モードとを切り替える。また、制御部４は、操作スイッチ２ａの操作時間が１秒以上の場合、操作スイッチ２ａが操作される度に、第１動作モードと、第２動作モードとを切り替える。なお、制御部４は、操作スイッチ２ａを連続的に押圧する操作時間の時間長で、第１制御と第２制御とを選択可能に行う構成だけには限られない。制御部４は、たとえば、人が操作スイッチ２ａを押圧する回数が設定した規定回数以上か、規定回数未満かで、第１制御と第２制御とを選択できるように構成してもよい。
【００５０】
また、制御部４は、第１動作モードや第２動作モードの選択にかかわらず、換気扇５３を駆動する第２開閉器５ｂのオン制御中において、動作表示部８を発光できるように構成している。図１に示す自動スイッチ１０では、第１の発光ダイオード８ａにより発光する動作表示部８に「換気扇」と表示し、換気扇５３の駆動状態を人に分りやすくしている。
【００５１】
自動スイッチ１０は、第１動作モードや第２動作モードの制御とは別途に、換気扇５３への給電を制御する第２開閉器５ｂのオン制御中において動作表示部８を発光させる。これにより、自動スイッチ１０は、第１動作モードと第２動作モードの何れであるかを表示するよりも、第１動作モードや第２動作モードを理解していない人に対しても直感的に換気扇５３の動作状態を知らせ、ユーザビリティを高めることが可能となる。また、自動スイッチ１０は、操作スイッチ２ａを第１動作モードや第２動作モードの切り替えに利用しているため、第１動作モードや第２動作モードを切り替えるスイッチを別途に備えるよりも小型化することが可能となる。
【００５２】
自動スイッチ１０は、手動操作部２ａ１の下側に化粧カバー１ｄを備えている。化粧カバー１ｄは、カバー体１１ｂの開口１１ｂｍに対向する位置に開口窓部１ｄｂを備えている。化粧カバー１ｄは、開口窓部１ｄｂに開口１１ｂｍが対応するように、器体１１に被せる。化粧カバー１ｄは、手動操作部２ａ１の一表面２ａｂよりも突出する突部１ｄｋを備えている。
【００５３】
自動スイッチ１０は、熱線センサ部１の検出感度を設定可能な設定操作部７を備えている。設定操作部７は、熱線センサ部１の検出感度を設定可能な機能以外を持たせてもよい。設定操作部７は、自動点灯消灯モードにおける点灯保持時間を設定することができる操作部を備えていてもよい。設定操作部７は、設定操作部７の一部を器体１１の第１表面１１ｂｐに露出させている。器体１１の第１表面１１ｂｐに露出する設定操作部７は、手動操作部２ａ１により覆われている。設定操作部７は、第１設定部７ａと、第２設定部７ｂと、第３設定部７ｃと、第４設定部７ｄとを備えている。
【００５４】
第１設定部７ａは、第１設定部７ａを構成するボリュームなどが、第１の回路基板１６ａに実装されている。第１設定部７ａは、たとえば、ボリュームの操作軸を回転するための第１摘み７ａ１を備えている。第１設定部７ａは、器体１１の第４窓孔１１ｂｈを介して、第１設定部７ａの第１摘み７ａ１を器体１１の第１表面１１ｂｐから突出させている。第１設定部７ａは、自動点灯消灯モードにおいて、照明負荷５２を点灯させる点灯保持時間を設定可能に構成している。自動スイッチ１０は、たとえば、１０秒から３０分までの範囲で点灯保持時間を適宜に設定することができる。
【００５５】
第２設定部７ｂは、第２設定部７ｂを構成するロータリボリュームなどが、第１の回路基板１６ａに実装されている。第２設定部７ｂは、たとえば、ロータリボリュームの操作軸を回転するための第２摘み７ｂ１を備えている。第２設定部７ｂは、器体１１の第５窓孔１１ｂｉを介して、第２設定部７ｂの第２摘み７ｂ１を器体１１の第１表面１１ｂｐから突出させている。第２設定部７ｂは、たとえば、明るさセンサ１ｓの明るさ感度レベルを「暗め」から「明るめ」までの範囲で設定することができる。明るさ感度レベルの「暗め」としては、たとえば、５ルクス以下の照度とすることができる。明るさ感度レベルの「明るめ」としては、たとえば、１００ルクス以上の照度とすることができる。
【００５６】
自動スイッチ１０は、たとえば、第２設定部７ｂが「切」に設定されると、制御部４が明るさセンサ１ｓからの照度信号に基づいた制御を行わないようにさせることができる。自動スイッチ１０は、第２設定部７ｂを「切」に設定されている場合、自動スイッチ１０の周囲が明るいときにトイレ室の照明負荷５２を点灯させることを防止することが可能となる。自動スイッチ１０は、周囲が明るいときにトイレ室の照明負荷５２を点灯させることを防止し、省エネルギ化を図ることが可能となる。自動スイッチ１０は、たとえば、第２設定部７ｂで、明るさのしきい値を調整することにより、結果として、熱線センサ部１が人の存在の有無を検知する検出感度が設定されたのと同様の効果を得ることができる。すなわち、第２設定部７ｂは、熱線センサ部１の検出感度を設定する設定操作部７を構成する。なお、自動スイッチ１０は、熱線センサ部１の検出感度を直接的に調整して設定する設定操作部７を備えていてもよい。自動スイッチ１０は、たとえば、設定操作部７に基づいて熱線センサ部１で検出した熱線の変化量を増幅する際の増幅度を調整することで、熱線センサ部１の検出感度を直接的に調整することができる。
【００５７】
第３設定部７ｃは、第３設定部７ｃを構成するロータリボリュームなどが、第１の回路基板１６ａに実装されている。第３設定部７ｃは、たとえば、ロータリボリュームの操作軸を回転するための第３摘み７ｃ１を備えている。第３設定部７ｃは、器体１１の第２窓孔１１ｂｘを介して、第３設定部７ｃの第３摘み７ｃ１を器体１１の第１表面１１ｂｐから突出させている。自動スイッチ１０は、たとえば、深夜時間帯において、照明負荷５２を定格の全点灯に対し減光状態で調光点灯できるように構成している。第３設定部７ｃは、たとえば、照明負荷５２を減光状態で点灯させる減光継続時間を設定可能に構成されている。第３設定部７ｃは、たとえば、減光継続時間として、０時間、４時間、５時間、６時間、７時間や８時間の多段階で設定できるように構成している。制御部４は、予め設定された開始時刻から減光継続時間が終了するまでの深夜モード時間帯にトイレ室へ人が入室した場合、照明負荷５２を調光制御する。そのため、自動スイッチ１０は、人の覚醒を抑制し、人が眩しく感じるのを抑制することが可能となる。なお、自動スイッチ１０は、第１スイッチ部２ｅ１や第２スイッチ部２ｅ２を利用して、深夜時間帯における照明負荷５２の調光の程度を調整することができるように構成している。制御部４は、第１スイッチ部２ｅ１がオン制御されると照明負荷５２をより明るくなるように調光制御する。制御部４は、第２スイッチ部２ｅ２がオン制御されると照明負荷５２をより暗くなるように調光制御する。
【００５８】
第４設定部７ｄは、第４設定部７ｄを構成するロータリボリュームなどが、第１の回路基板１６ａに実装されている。第４設定部７ｄは、たとえば、ロータリボリュームの操作軸を回転するための第４摘み７ｄ１を備えている。第４設定部７ｄは、器体１１の第３窓孔１１ｂｑを介して、第４設定部７ｄの第４摘み７ｄ１を器体１１の第１表面１１ｂｐから突出させている。第４設定部７ｄは、たとえば、点灯保持時間の終了後に換気扇５３を駆動し換気扇５３を停止させるまでの遅延動作時間を設定することができる。また、第４設定部７ｄは、たとえば、遅延動作時間として、５分、１０分、１５分、３０分の多段階で設定できるように構成している。第４設定部７ｄは、換気扇５３の強制的なオフや換気扇５３の連続駆動の設定も可能に構成している。
【００５９】
次に、自動スイッチ１０の動作について、図１４を用いて詳述する。
【００６０】
図１４は、操作スイッチ２ａにより自動点灯消灯モードで第１動作モードが選択されている場合を示している。自動スイッチ１０は、第１動作モードにおいて、照明負荷５２の点灯開始と換気扇５３の駆動開始とを連動させて行わせる。図１４では、時刻ｔ０から時刻ｔ６までと、時刻ｔ１２から時刻ｔ１６までとを、深夜モード時間帯が設定されていない場合を例示している。また、図１４では、時刻ｔ６から時刻ｔ１２までを、深夜モード時間帯が設定されている場合を例示している。さらに、図１４では、時刻ｔ０から時刻ｔ１２までを周囲照度が暗い状態を例示し、時刻ｔ１２から時刻ｔ１６までを周囲照度が明るい状態を例示している。
【００６１】
自動スイッチ１０は、熱線センサ部１が熱線の変化を時刻ｔ１で検出してセンサ信号を出力する。制御部４は、熱線センサ部１からのセンサ信号に基づいて、第２開閉器５ｂを制御して照明負荷５２を点灯状態にさせる。制御部４は、時刻ｔ１で照明負荷５２の点灯をソフトスタートさせ、時間経過に伴って照明負荷５２の光出力を増加させ、一定時間経過後の時刻ｔ２で全点灯状態にする。制御部４は、ソフトスタートの一定時間として時刻ｔ１から時刻ｔ２までを、たとえば、２．５秒に設定することができる。自動スイッチ１０は、照明負荷５２を点灯させる場合、第２開閉素子５ｂ１の双方向３端子サイリスタを第２開閉制御部５ｂ２で位相制御することにより、照明負荷５２への突入電流を抑制しソフトスタートを行うことができる。
【００６２】
また、制御部４は、時刻ｔ１から時刻ｔ４までの点灯保持時間の終了が近付くと時刻ｔ３で照明負荷５２の光出力を低下させる。制御部４は、点灯保持時間の終了前の一定時間として時刻ｔ３から時刻ｔ４までを、たとえば、６秒に設定することができる。制御部４は、時刻ｔ３を経過後、照明負荷５２の消灯を予告するため、照明負荷５２を全点灯状態の５０％に減光するように調光制御する。制御部４は、時刻ｔ４後、第２開閉器５ｂを制御して照明負荷５２を消灯状態にする。言い換えれば、自動スイッチ１０は、予め設定した点灯保持時間が経過するまで、照明負荷５２を点灯させる。
【００６３】
制御部４は、照明負荷５２の点灯と同時の時刻ｔ１で換気扇５３を駆動させる。制御部４は、照明負荷５２を消灯させる時刻ｔ４の経過後、照明負荷５２の点灯に遅延して時刻ｔ５まで換気扇５３の遅延動作を行わせる。制御部４は、時刻ｔ１から時刻ｔ５までの間、第１開閉器５ａを制御して換気扇５３を動作させる。制御部４は、換気扇５３の駆動中において動作表示部８を発光させる。
【００６４】
次に、自動スイッチ１０では、深夜モード時間帯が設定されている場合、時刻ｔ１と同様に、熱線センサ部１が熱線の変化を時刻ｔ７で検出すると、照明負荷５２の点灯をソフトスタートさせる。制御部４は、周囲照度が暗く、且つ深夜モードの場合、時刻ｔ８から時刻ｔ９までの間、照明負荷５２を２０％に減光した点灯状態とする。また、制御部４は、時刻ｔ９で照明負荷５２の消灯を予告するため、１０％に減光する調光制御を行う。制御部４は、時刻ｔ１０後、照明負荷５２を消灯状態にする。また、制御部４は、時刻ｔ７から換気扇５３を駆動させる。制御部４は、照明負荷５２を消灯させる時刻ｔ１０の経過後、照明負荷５２の点灯に遅延して時刻ｔ１１まで換気扇５３の遅延動作を行わせる。制御部４は、時刻ｔ７から時刻ｔ１１までの間、第１開閉器５ａを制御して換気扇５３を動作させる。
【００６５】
次に、自動スイッチ１０では、制御部４は、周囲照度が明るい時刻ｔ１２から時刻ｔ１６までの間、照明負荷５２を点灯させない。制御部４は、熱線センサ部１のセンサ信号が入力された時刻ｔ１３から点灯保持時間の終了に対応する時刻ｔ１４の経過後、時刻ｔ１５まで換気扇５３の駆動を行わせる。制御部４は、換気扇５３の駆動中において動作表示部８を発光させる。したがって、制御部４は、周囲照度にかかわらず熱線センサ部１からのセンサ信号に応じて換気扇５３を駆動する。
【００６６】
次に、自動スイッチ１０の動作について図１５を用いて説明する。
【００６７】
自動スイッチ１０は、たとえば、人が操作スイッチ２ａを設定時間よりも長押しすることで、第１制御から第２制御に切り替える。図１５は、操作スイッチ２ａにより自動点灯消灯モードで第２動作モードが選択されている場合を示している。図１５では、時刻ｔ０から時刻ｔ２６までと、時刻ｔ３２から時刻ｔ３６までとを深夜モード時間帯が設定されていない場合を例示している。また、図１５では、時刻ｔ２６から時刻ｔ３２までを深夜モード時間帯が設定されている場合を例示している。さらに、図１５では、時刻ｔ２０から時刻ｔ３２までを周囲照度が暗い状態を例示し、時刻ｔ３２から時刻ｔ３６までを周囲照度が明るい状態を例示している。
【００６８】
制御部４は、第２動作モードにおいて、第１動作モードと同様にして照明負荷５２の点灯／消灯を行う。制御部４は、第２動作モードにおいて、換気扇５３の駆動開始のタイミングが第１動作モードと異なる点が相違する。制御部４は、照明負荷５２の点灯保持時間が終了した時点から換気扇５３を駆動させ、遅延動作時間が経過すると停止させる。制御部４は、換気扇５３の駆動中において動作表示部８を発光させる。
【符号の説明】
【００６９】
１  熱線センサ部
４  制御部
５ａ  第１開閉器
５ｂ  第２開閉器
８  動作表示部
１０  熱線センサ付自動スイッチ（自動スイッチ）
５２  照明負荷
５３  換気扇
【図１】
2015173077.tif 000003
【図２】
2015173077.tif 000004
【図３】
2015173077.tif 000005
【図４】
2015173077.tif 000006
【図５】
2015173077.tif 000007
【図６】
2015173077.tif 000008
【図７】
2015173077.tif 000009
【図８】
2015173077.tif 000010
【図９】
2015173077.tif 000011
【図１０】
2015173077.tif 000012
【図１１】
2015173077.tif 000013
【図１２】
2015173077.tif 000014
【図１３】
2015173077.tif 000015
【図１４】
2015173077.tif 000016
【図１５】
2015173077.tif 000017